(57)【特許請求の範囲】
【請求項１】
水素貯蔵材料を収納した水素貯蔵容器への水素充填に際し、該水素の充填進行に従って変化をする水素貯蔵容器温度、冷却媒体温度、水素貯蔵容器表面歪みのいずれかを所定の物理量として所定時間毎に測定し、前記物理量の時間変化を近似式にフィッティングして、前記水素の充填完了の予測時間を算出することを特徴とする水素貯蔵容器への水素充填方法。
【請求項２】
前記充填完了の予測時間の算出は、充填完了時に示す前記物理量に基づいて前記近似式から求めることを特徴とする請求項１記載の水素貯蔵容器への水素充填方法。
【請求項３】
前記測定中に、前記近似式を前記物理量の変化に基づいて適時修正をし、修正された近似式に基づいて再度、前記水素の充填完了までの予測時間を算出することを特徴とする請求項１または２に記載の水素貯蔵容器への水素充填方法。
【請求項４】
予め正常とされる充填完了時間を設定しておき、該設定の充填完了時間によって、算出された前記充填完了時間が異常であるか否かの判定を行うことを特徴とする請求項１〜３のいずれかに記載の水素貯蔵容器への水素充填方法。
【請求項５】
算出された前記充填完了時間が異常であると判定される場合に、異常時制御を行うことを特徴とする請求項４記載の水素貯蔵容器への水素充填方法。
【請求項６】
前記異常時制御が、異常を知らせる通知であることを特徴とする請求項５記載の水素貯蔵容器への水素充填方法。
【請求項７】
前記異常時制御が、水素の充填処理を自動的に停止するものであることを特徴とする請求項５または６に記載の水素貯蔵容器への水素充填方法。
【請求項８】
水素貯蔵材料を収納した水素貯蔵容器への水素充填に際し該水素の充填進行に従って変化をする水素貯蔵容器温度、冷却媒体温度、水素貯蔵容器表面歪みのいずれかを所定の物理量として所定時間毎に測定する測定手段と、該測定手段により得られる前記物理量の時間変化を近似式にフィッティングさせる近似式算出手段と、前記近似式に基づいて充填完了までの残り時間を算出する残り時間算出手段とを備えることを特徴する水素充填監視装置。
【請求項９】
前記残り時間算出手段で算出された残り時間を通知する通知手段を備えることを特徴とする請求項８記載の水素充填監視装置。
【請求項１０】
予め正常とされる充填完了時間を設定しておき、該設定の充填完了時間によって、前記残り時間算出手段で算出された残り時間が異常であるか否かを判定する残り時間異常判定手段を備えることを特徴とする請求項８または９に記載の水素充填監視装置。
【請求項１１】
前記異常判定手段によって異常判定がなされたときに、異常時動作を行わせる異常時制御手段を備えることを特徴とする請求項８〜１０のいずれかに記載の水素充填監視装置。
【請求項１２】
前記異常時動作が、異常であることを通知する動作であることを特徴とする請求項１１記載の水素充填監視装置。
【請求項１３】
前記異常時動作が、水素充填処理を自動停止させる動作であることを特徴とする請求項１１または１２記載の水素充填監視装置。
【発明の詳細な説明】
【技術分野】
【０００１】
この発明は、水素吸蔵合金などの水素貯蔵材料を用いた水素貯蔵容器に水素を充填する際の水素充填方法および水素充填監視装置に関するものである。
【背景技術】
【０００２】
水素吸蔵合金などの水素貯蔵材料を用いた水素貯蔵容器では、水素の放出がなされた後には、再度水素を充填して繰り返し使用がなされている。この水素貯蔵容器に対する従来の水素充填手法では、充填の短時間化技術や自動化技術などの創意工夫はなされてきたが、充填完了までの時間を定量的に予測する技術はこれまで検討されてこなかった。したがって、水素残量が毎回異なる水素貯蔵容器へ水素を充填する場合、充填装置に接続された貯蔵容器の圧力、温度あるいは水素流量を定期的にチェックして充填が完了しているか否かを判断する必要がある。このため、複数の貯蔵容器を連続して水素充填する際、効率的な充填作業が望むことが難しい。水素充填の完了を検出する装置としては、特許文献１で提案されているものがある。この装置では、水素吸蔵合金容器の温度を一定に保つように水素流量を調整し、合金のＰＣＴ特性に基づいた満充填圧力に達すると水素充填を完了するものと判定をする。
【特許文献１】特開平８−１２８５９７号公報
【発明の開示】
【発明が解決しようとする課題】
【０００３】
しかしながら、特許文献１記載の技術では、充填の完了をある程度正確に知ることができるが、水素貯蔵容器の温度が一定となるように水素流量を随時調整しているため、水素流量を調整しない場合に比べて充填時間が長くなり、装置コストも高くなる。何より、充填完了までの予測時間の算出ができないため、効率的な水素充填は期待できない。
また、水素充填に必要な時間は１時間以上に及ぶこともあるが、充填完了までの時間を定量的に予測することができないと、一般利用者が水素充填設備において水素貯蔵容器に水素を充填する際、いつ頃終了するのか分からず、時間の有効利用ができないなどの問題がある。
【０００４】
本発明は、上記事情を背景としてなされたものであり、水素充填完了までの予測時間を算出することができる水素充填方法および水素充填監視装置を提供することを目的としている。
【課題を解決するための手段】
【０００５】
すなわち、本発明の水素貯蔵容器への水素充填方法の発明のうち、請求項１記載の発明は、水素貯蔵材料を収納した水素貯蔵容器への水素充填に際し、該水素の充填進行に従って変化をする水素貯蔵容器温度、冷却媒体温度、水素貯蔵容器表面歪みのいずれかを所定の物理量として所定時間毎に測定し、前記物理量の時間変化を近似式にフィッティングして、前記水素の充填完了の予測時間を算出することを特徴とする。
【０００６】
請求項２記載の水素貯蔵容器への水素充填方法の発明は、請求項１記載の発明において、前記充填完了の予測時間の算出は、充填完了時に示す前記物理量に基づいて前記近似式から求めることを特徴とする。
【０００７】
請求項３記載の水素貯蔵容器への水素充填方法の発明は、請求項１または２に記載の発明において、前記測定中に、前記近似式を前記物理量の変化に基づいて適時修正をし、修正された近似式に基づいて再度、前記水素の充填完了までの予測時間を算出することを特徴とする。
【０００９】
請求項４記載の水素貯蔵容器への水素充填方法の発明は、請求項１〜３のいずれかに記載の発明において、予め正常とされる充填完了時間を設定しておき、該設定の充填完了時間によって、算出された前記充填完了時間が異常であるか否かの判定を行うことを特徴とする。
【００１０】
請求項５記載の水素貯蔵容器への水素充填方法の発明は、請求項４記載の発明において、算出された前記充填完了時間が異常であると判定される場合に、異常時制御を行うことを特徴とする。
【００１１】
請求項６記載の水素貯蔵容器への水素充填方法の発明は、請求項５記載の発明において、前記異常時制御が、異常を知らせる通知であることを特徴とする。
【００１２】
請求項７記載の水素貯蔵容器への水素充填方法の発明は、請求項５または６に記載の発明において、前記異常時制御が、水素の充填処理を自動的に停止するものであることを特徴とする。
【００１３】
請求項８記載の水素充填監視装置の発明は、水素貯蔵材料を収納した水素貯蔵容器への水素充填に際し該水素の充填進行に従って変化をする水素貯蔵容器温度、冷却媒体温度、水素貯蔵容器表面歪みのいずれかを所定の物理量として所定時間毎に測定する測定手段と、該測定手段により得られる前記物理量の時間変化を近似式にフィッティングさせる近似式算出手段と、前記近似式に基づいて充填完了までの残り時間を算出する残り時間算出手段とを備えることを特徴する。
【００１４】
請求項９記載の水素充填監視装置の発明は、請求項８記載の発明において、前記残り時間算出手段で算出された残り時間を通知する通知手段を備えることを特徴とする。
【００１５】
請求項１０記載の水素充填監視装置の発明は、請求項８または９に記載の発明において、予め正常とされる充填完了時間を設定しておき、該設定の充填完了時間によって、前記残り時間算出手段で算出された残り時間が異常であるか否かを判定する残り時間異常判定手段を備えることを特徴とする。
【００１６】
請求項１１記載の水素充填監視装置の発明は、請求項８〜１０のいずれかに記載の発明において、前記異常判定手段によって異常判定がなされたときに、異常時動作を行わせる異常時制御手段を備えることを特徴とする。
【００１７】
請求項１２記載の水素充填監視装置の発明は、請求項１１記載の発明において、前記異常時動作が、異常であることを通知する動作であることを特徴とする。
【００１８】
請求項１３記載の水素充填監視装置の発明は、請求項１１または１２記載の発明において、前記異常時動作が、水素充填処理を自動停止させる動作であることを特徴とする。
【００１９】
すなわち、本発明の水素貯蔵容器への水素充填方法によれば、水素充填時に水素流量や温度などの物理量を定期的に計測し、その時間変化を適切な近似式にフィッティングすることで、充填完了までの推定時間を逐次算出することができる。
上記測定される物理量は充填初期から完了までを通じて測定可能な変化を伴うものが適切である。また、測定における時間間隔は、近似式の適切な算出ができることなどを考慮して適宜定めることができる。以下に適用可能な物理量とその特徴を列記する。
【００２０】
（充填水素流量）
水素流量の充填に伴う経時変化を図１に示す。充填開始直後は充填圧力に比べて容器内部圧力が低いため、充填水素流量は急激に増加してピークに達するが、速やかに圧力が均衡するので流量は落ちる。その後、水素流量は水素貯蔵材料の水素吸収速度に等しい値に落ち着き、充填完了まで徐々に降下していく。水素が満充填に至ると流量は０となる。なお、充填水素流量は、充填に用いる供給管などに例えば流量計などを配置することで測定することができる。
【００２１】
（水素圧力）
水素貯蔵容器内圧力の充填に伴う経時変化を図２に示す。充填開始直後から、容器内圧力は充填圧力とほぼ同じ値になるまで急激に上昇する。これは、水素貯蔵材料の水素吸収速度が低く、水素供給過剰となるので、充填圧力と容器内圧力との間に圧力差がほとんど発生しないためである。しかしながら、充填完了まで若干の差圧が存在するので、これを利用して残り時間を計算することは不可能ではない。なお、水素圧力は、例えば圧力計などにより測定することができる。
【００２２】
（水素貯蔵容器重量）
容器重量の充填に伴う経時変化を図３に示す。一般的な貯蔵容器では、満充填時の水素の重量は容器全体の重量に比べて数％程度であり、十分重量計測で判別できる変化である。しかしながら、重量測定の際、水素貯蔵容器に水滴等の付着や部品等の脱落があると水素充填進行度の見積もりに誤差が生じることから、実際の適用には困難な点が多い。なお、容器重量は例えばロードセルなどにより測定することができる。
【００２３】
（水素貯蔵容器温度）
容器表面および内部温度の充填に伴う経時変化を図４に示す。水素貯蔵材料は一般に水素を吸収すると発熱する特性を持つため、充填開始直後の容器温度は急速に上昇する。しかしながら、水素貯蔵材料の水素吸収平衡圧力は温度とともに上昇するので、平衡圧力が充填水素圧力とバランスする温度となったら水素吸収が停止し、温度もそれ以上上昇しなくなる。一方、容器表面から外部冷却媒体によって熱を奪われていくため、一転して徐々に温度が降下していく。熱伝達しやすい容器表面ほど温度が早く降下し始め、容器中心部はそれに遅れて温度降下する。充填が完了すると、容器温度は冷却媒体温度で一定となる。容器温度は、例えば熱電対などを用いた温度計により測定することができる。
【００２４】
（冷却媒体温度）
水素貯蔵容器の冷却媒体が流路に沿って流れている場合、その入口温度と出口温度の差を計測することでも充填進行を読み取ることが可能である。流量が同じであれば、充填が進むにしたがって温度差が小さくなり、充填が完了すると温度差が０となる。該冷却媒体温度も例えば熱電対などを用いた温度計により測定することができる。
【００２５】
（容器表面歪み）
容器表面歪みの充填に伴う経時変化を図５に示す。水素貯蔵材料は一般に水素を吸収するとその体積を増大させるため、水素貯蔵容器の表面歪みは水素充填に伴って増大する。充填が完了すると、所定の歪み量に達する。歪み量は、例えば歪み計などにより測定することができる。
【００２６】
上記物理量の他に、今後開発が期待される水素残量計の出力も同様に充填完了予測時間の計算に用いることが可能であり、要は水素の充填進行に従って変化をする物理量であれば、上記以外でも測定の対象として残り時間の算出に利用することができる。
上記物理量は、既知の測定装置などの測定手段を用いて測定できるものであればよく、本発明としては、特に測定手段の構成が限定されるものではない。
【００２７】
測定された物理量データはその時の経過時間データとともにプログラマブルコンピュータなどに記録することができる。該記憶は、ＲＡＭやフラッシュメモリ、ＨＤＤなどの随時書込み読出しが可能な記憶手段に対し行うことができる。
なお、充填初期は各物理量が安定しないため、充填開始後適当な時間待機してから計測を始めてもよい。近似式の次数に応じた必要データ数（ｎ次式であれば必要データ数は最低ｎ＋１組）が集まったならば、近似式パラメータの計算を実施し、近似式へのフィッティングを行う。該計算は、ＣＰＵとこれを動作させるプログラムなどにより構成される近似式算出手段により行うことができる。近似式が導出されたならば、物理量の変数に充填完了の指標値を代入し、経過時間を演算することができる。このときの指標値としては、充填水素流量を用いる場合は０、容器表面温度ならば冷却媒体温度といったように理論的な到達値に設定するのも良いが、予備試験の結果から任意に設定するのが望ましい。指標値は、測定する物理量に合わせて定められる。計算で得られた完了に至る経過時間から現在までの経過時間を差し引くことで充填完了までの予測時間を算出することができる。これらのシーケンスは定期計測の度に実行され、充填完了予測時間を逐次更新していくのが望ましい。
【００２８】
得られた充填完了予測時間は、デジタル表示で具体的な時間を表示したり、数段階のランプでおおよその時間を指示したりする方法で逐次ユーザーに通知することができ、また、適宜の通信手段（ＬＡＮ、ネットワーク、電話回線など）を介して通知をすることも可能であり、通知方法は特に限定されない。測定物理量が充填完了の指標値に達した場合、ランプの点灯や音声などでユーザーに充填完了の旨を通知することも可能である。
【００２９】
また、充填完了予測時間が極端に長く、水素リーク等のおそれがある場合などに備えて異常の判定を行うことができる。異常判定では、予め適正と考えられる充填完了時間を設定しておき、この充填完了時間との対比によって異常か否かの判定を行うことができる。また、異常の程度を段階的に定めるようにしてもよい。異常であると判定される場合には、予め定めた異常時制御を行うことができる。例えば、操作者や保守者に異常の通知（警報など）を発したりすることができる。また、水素充填装置を制御して水素充填作業を停止させることも可能である。
【発明の効果】
【００３０】
以上説明したように、本発明の水素貯蔵容器への水素充填方法によれば、水素貯蔵材料を収納した水素貯蔵容器への水素充填に際し、該水素の充填進行に従って変化をする水素貯蔵容器温度、冷却媒体温度、水素貯蔵容器表面歪みのいずれかを所定の物理量として所定時間毎に測定し、前記物理量の時間変化を近似式にフィッティングして、前記水素の充填完了の予測時間を算出するので、水素充填までに要する時間を容易に予測することができ、充填作業を効率よく行うことができる。例えば、複数の水素貯蔵容器に水素を連続して充填する必要があり、しかも初期水素残量が容器ごとに異なっていて一律の充填時間では時間効率が悪い場合、本発明によって充填完了時間を予測することで充填作業を短縮化する効果が見込まれる。さらに、一般利用者にとっては、水素充填時間を予測することで、無用に充填完了を待ち続けることなく、時間を有効に使うことができる。
また、充填完了予測時間が極端に長い結果となった場合は、水素リークのおそれがある場合などに異常をユーザーに報知するなどの適切な対応することが可能になる。
【００３１】
さらに、本発明の水素充填監視装置によれば、水素貯蔵材料を収納した水素貯蔵容器への水素充填に際し該水素の充填進行に従って変化をする水素貯蔵容器温度、冷却媒体温度、水素貯蔵容器表面歪みのいずれかを所定の物理量として所定時間毎に測定する測定手段と、該測定手段により得られる前記物理量の時間変化を近似式にフィッティングさせる近似式算出手段と、前記近似式に基づいて充填完了までの残り時間を算出する残り時間算出手段とを備えるので、充填予測時間を容易に算出することができ、上記効果が確実に得られる。
【発明を実施するための最良の形態】
【００３２】
以下、本発明の一実施形態を図６〜８に基づいて説明する。
図６に示されるシステムは、水素充填装置を構成する水素ボンベ１と水素供給管２と水素貯蔵容器３とを備えており、水素ボンベ１に一端を接続した水素供給管２の他端に水素貯蔵容器３が接続されている。水素貯蔵容器３は、内部に図示しない水素吸蔵合金が収容されており、外部表面は、冷却水導入管４ａと冷却水排出管４ｂとが接続された冷却水ジャケット４でカバーされている。なお、上記では水素貯蔵容器における冷却方法は、外部冷却式となっているが、内部冷却式のものであっても同様に適用可能であり、本発明としては水素貯蔵容器の構造が特に限定されるものではない。
【００３３】
また、上記水素供給管２には、水素充填装置として開閉弁５とレギュレータ６とが介設されている。また、水素供給管２には、レギュレータ６の下流側に、測定手段である水素流量計１０を挟んで電磁開閉弁１１、１２が介設されており、それぞれ制御部２０に電気的に接続されている。該接続により、水素流量計１０の測定結果は制御部２０に出力可能となっており、また、電磁開閉弁１１、１２の開閉動作は制御部２０により制御可能となっている。また、前記水素貯蔵容器３の外表面には、該水素貯蔵容器３の外表面温度を測定する、測定手段である温度計１３が設置されており、該温度計１３は、前記制御部２０に電気的に接続されて、その測定結果が制御部２０に出力可能とされている。
また、前記制御部２０には、操作者が視認できるように水素充填残り時間を表示する、通知手段であるインジケータ１４が接続され、さらに、操作者に音で通知を行うブザー１５が接続されている。また、制御部２０には、経過時間を測定するタイマ２１とデータの記憶、読出しを行う、フラッシュメモリ、ＨＤＤなどの記憶部２２が接続されている。
【００３４】
上記した制御部２０は、例えばＣＰＵとこれを動作させるプログラムとを主にして構成することができる。該制御部２０は、上記した水素流量計１０や温度計１３で得られる物理量の測定結果を受けて、水素充填に伴う物理量の時間的変化をフィッティングさせる近似式の算出が可能になっており、本発明の近似式算出手段としての機能を有している。上記により得られる近似式からは、水素の充填完了時における物理量を予め把握しておくことで水素充填完了予測時間を算出することができる。したがって、制御部２０は、残り時間算出手段としての機能を有している。
【００３５】
また、制御部２０では、予め正常と判定される充填完了時間データを記憶部２２に記憶させておき、これを読み出して予測される充填完了時間と対比することで充填の異常判定を行うことができる。したがって制御部２０は、本発明の残り時間異常判定手段としての機能を有している。さらに制御部２０は、後述するように、異常判定に従って電磁開閉弁１１、１２やブザー１５の動作を制御することができ、異常時制御手段としての機能も有している。
【００３６】
上記した制御部２０、流量計１０、電磁開閉弁１１、１２、温度計１３、インジケータ１４、ブザー１５、タイマ２１および記憶部２２は、本発明の水素充填監視装置を構成している。該水素充填監視装置は、水素充填装置とは独立したものでもよく、または水素充填装置に包含されるものであってもよい。
【００３７】
次に、上記水素充填装置および充填監視装置を用いた水素充填方法を図７のフローチャートを参照しつつ説明する。
水素の充填開始に際しては、開閉弁５、電磁開閉弁１１、１２を開き、水素ボンベ１から水素供給管２を通して水素貯蔵容器３への水素の供給を開始する（ステップＳ１）。水素の供給に際してはレギュレータ６で流れ調整がなされて水素が水素貯蔵容器３に導入される。また、水素の供給に伴って冷却水ジャケット４に冷却水導入管４ａと冷却水排出管４ｂを通して冷却水を通水し、水素貯蔵容器３の冷却を行う。水素貯蔵容器３では、水素吸蔵に伴う水素吸蔵合金の発熱が上記冷却水により冷却され、円滑に水素吸蔵が進行する。
【００３８】
上記した水素の充填を予め定めた安定待機時間まで続行し（ステップＳ２）、安定待機時間経過後前記した物理量の測定を開始する（ステップＳ３）。なお、経過時間は、前記したタイマ２１のカウントにより行うことができ、測定開始時には、測定物理量に応じた充填完了指標値ｑｆ、近似式に必要な次数ｋを設定しておく。該充填完了指標値ｑｆおよび必要次数ｋは、予め記憶部２２に記憶させておき、これを読み出すことで設定を行うことができる。
【００３９】
該物理量の測定においては、流量計１０において水素供給管２を流れる水素の流量を予め定めた所定の時間毎に測定し、測定データを制御部２０に送出する。また、同じく、該測定においては、温度計１３によって水素貯蔵容器３の外表面温度を所定時間毎に測定し、測定データを制御部２０に送出する。なお、測定データは、流量計１０、温度計１３のいずれかによって得られるものであればよく、両方をそれぞれ用いることも可能である。
測定データは、計測点数ｎ、経過時間ｔｎ、計測物理量ｑｎとして逐次得られ（ステップｓ４）、制御部２０の制御によって記憶部２２のデータテーブルに格納される（ステップｓ５）。次ステップｓ６では、計測物理量ｑｎが、充填完了指標値ｑｆを越えているか否かの判定がなされ、越えていると判定される場合には、充填完了とする（ステップｓ７）。ステップｓ７では、制御部２０の制御によって充填完了をブザー１５で報知することができ、また、電磁開閉弁１１、１２を閉とすることもできる。
【００４０】
上記ステップｓ６で、計測物理量ｑｎが、充填完了指標値ｑｆを越えてない場合、次いで計測点数ｎが必要次数ｋに達したか否かの判定がなされる（ステップｓ８）。ここで計測点数ｎが必要次数ｋに達していない場合、ステップｓ４に戻り、さらに測定が継続され、測定データ数を積み増す。
一方、ステップｓ７で計測点数ｎが必要次数ｋに達していると判定される場合、制御部２０においてデータテーブルに格納された前記データが読み出され、該データに基づいて近似式の算出が行われ、測定物理量の時間的変化のフィッティングがなされる（ステップｓ９）。該近似式によって、充填完了指標値ｑｆを用いて充填完了となる完了予測経過時間ｔｆを算出する。次いで、それまでに経過した時間を積算し、該完了予測経過時間ｔｆから前記積算経過時間を差し引いて、充填完了に至る残り時間を算出する（ステップｓ１０）。算出結果は、制御部２０の動作によって前記したインジケータ１４にデジタル表示される（ステップＳ１１）。次いで、完了予測経過時間ｔｆが予め設定した正常水素充填完了時間の範囲内あるか否かの判定を行い、範囲外にある場合には異常であるとの判定を行い、異常時制御処理を行う（ステップｓ１３）。正常水素充填完了時間は例えば記憶部２２に予め格納しておき、必要に応じて読み出すことができる。上記判定が正常である場合、計測物理量が充填完了指標値ｑｆに達するまで上記処理（ステップｓ４〜ｓ１２）を繰り返し行う。
【００４１】
異常時制御処理では、図８に示すように、前記測定手段による測定を終了し（ステップｓ１３０）、ブザー１５による異常報知により警報を発する（ステップｓ１３１）。該異常報知では、前記した充填完了時のブザー報知とは内容を異にすることで、区別が可能である。次いで、電磁開閉弁１１、１２を閉じて水素充填処理を中止する。これにより水素漏れなどによる不具合を早期に回避することが可能になる。なお、指標となる正常水素充填完了時間を段階的なものとして複数定めることで異常判定を段階的に行って、異常が小とされる場合に警報を発し、異常が大とされる場合に水素充填の完了を行うようにしてもよい。
以上、上記実施形態に基づいて本発明の内容を説明したが、本発明が上記説明内容に限定されるものではなく、本発明の範囲を逸脱しない範囲で適宜変更が可能である。
【実施例１】
【００４２】
以下、本発明の実施例を説明する。
図６に示す装置構成において、水素貯蔵容器として、定格水素貯蔵量２００ＮＬの水素貯蔵合金内蔵キャニスターを用いた場合の水素充填試験を実施した。このときの充填水素圧力は１ＭＰａＧとし、貯蔵容器は５℃の冷水で冷却した。
【００４３】
上記水素充填試験において、充填試験での水素貯蔵量（充填水素流量の積算値）、充填水素流量、容器表面温度の３種類のパラメータの経時変化をまとめ、図９に示した。
充填開始直後は充填水素流量、容器表面温度ともに急上昇するが、３０秒〜１分程度でピークを迎え、続いてなだらかに減少し始める。充填水素流量が計測限界以下となった時点を充填完了とすると、流量、容器表面温度ともに充填完了までほぼ直線的に減少しているのが読み取れる。そこで、前記実施形態で示した図７のシーケンスを利用して直線近似式を適用した場合の充填完了時間予測結果を以下に説明する。
【００４４】
充填水素流量、容器表面温度ともほぼ直線減少に安定する２分後から、１分間隔でそれぞれの物理量を計測する。そして３組の計測データが収集できた時点、すなわち４分後から２分ごとに最小二乗法による直線式を導出した。このとき、充填水素流量の充填完了指標値は１ＮＬ／ｍｉｎ、容器表面温度の充填完了指標値は２２℃とした。図１０に充填水素流量、図１１に容器表面温度の直線近似グラフ推移を示す。また、図１２に実際の充填完了までの残り時間と、充填水素流量および容器表面温度それぞれから予測された残り時間との対比を示す。図に示すように、充填水素流量、容器表面温度とも充填が進むにつれて、実際の充填完了までの残り時間に一致する傾向を示した。特に、容器表面温度はほぼ直線的な時間変化をしているため、直線近似によって非常によい精度で残り時間が予測できた。
【図面の簡単な説明】
【００４５】
【図１】水素貯蔵容器への水素充填に伴う、水素流量の経時変化を示す模式図である。
【図２】同じく、容器内水素圧力の経時変化を示す模式図である。
【図３】同じく、水素貯蔵容器重量の経時変化を示す模式図である。
【図４】同じく、水素貯蔵容器温度の経時変化を示す模式図である。
【図５】同じく、水素貯蔵容器表面ひずみの経時変化を示す模式図である。
【図６】本発明の一実施形態の水素充填監視装置を含むシステムの構成図である。
【図７】本発明の一実施形態の水素充填方法を示すフローチャートである。
【図８】同じく、水素充填方法の一部工程を示すフローチャートである。
【図９】本発明の実施例における測定物理量の経時変化を示す模式図である。
【図１０】同じく、充填水素流量に関し、最小二乗法による直線近似式を適用したグラフである。
【図１１】同じく、容器表面温度に関し、最小二乗法による直線近似式を適用したグラフである。
【図１２】同じく、実際の充填完了までの残り時間と充填水素流量および容器表面温度それぞれから予測された残り時間との対比を示すグラフである。
【符号の説明】
【００４６】
１  水素ボンベ
２  水素供給管
３  水素貯蔵容器
４  冷却ジャケット
１０  流量計
１１  電磁開閉弁
１２  電磁開閉弁
１３  温度計
１４  インジケータ
１５  ブザー
２０  制御部
２１  タイマ
２２  記憶部
【図１】
0004753244.tif 000002
【図２】
0004753244.tif 000003
【図３】
0004753244.tif 000004
【図４】
0004753244.tif 000005
【図５】
0004753244.tif 000006
【図６】
0004753244.tif 000007
【図７】
0004753244.tif 000008
【図８】
0004753244.tif 000009
【図９】
0004753244.tif 000010
【図１０】
0004753244.tif 000011
【図１１】
0004753244.tif 000012
【図１２】
0004753244.tif 000013